(57)【特許請求の範囲】
【請求項１】
股上部（１）とその股上部（１）から下方に延びる左右一対の股下部（２）と、前記左右一対の股下部（２）の下端部に形成される裾部（３）とを有し、前記左右一対の股下部（２）は上下方向に沿って形成される前側のクリース線（６）および後側のクリース線（６）を有し、前記裾部（３）は周方向に沿って取り付けられる一対の芯材（５）を有し、前記一対の芯材（５）はその端部同士の間に位置する前側の隙間と後側の隙間とを有し、前記前側の隙間に前側の前記クリース線（６）が通り、前記後側の隙間に後側の前記クリース線（６）が通る状態となっているズボンにおいて、
前記裾部（３）が周方向に沿って取り付けられた塑性変形性を有する保型部材（４）を有し、前記保型部材（４）が前側の前記クリース線（６）および後側の前記クリース線（６）に交差する位置にあることを特徴とするズボン。
【請求項２】
前記保型部材（４）が塑性変形性を有する線材（４ｂ）と、前記線材（４ｂ）を前記裾部（３）の周方向に沿って保持する帯状の基材（４ａ）とを有し、前記基材（４ａ）が柔軟性を有していることを特徴とする請求項１に記載のズボン。
【請求項３】
前記保型部材（４）が、前記裾部（３）の全周にわたって取り付けられた状態となっていることを特徴とする請求項１または２に記載のズボン。
【発明の詳細な説明】
【技術分野】
【０００１】
この発明は、裾の長さを調整することができるズボンに関するものである。
【背景技術】
【０００２】
従来、店舗などにおいて、購入したズボンの股下寸法を購入者（着用者）の股下寸法に応じた長さに調整する裾上げが行われている。この裾上げは、ズボンの裾部を折り返し、ズボンの下端部にかがり縫い、まつり縫いなどの縫製をすることでなされている。しかしながら、通常、かがり縫いなどの縫製は、相応の時間が掛かるものであった。また、一度、縫製による裾上げを行うと、ズボンの股下寸法を容易に変更することが困難であった。
【０００３】
このため、ズボンの股下寸法を容易に調整変更することができるようにしたズボンが提案されている。例えば、特許文献１に記載のズボンは股上部と股上部の下方に位置する左右一対の股下部とを有し、左右一対の股下部の下端部（裾部）に、周方向に沿って一対の板状の芯材が取り付けられた芯部を有するものである。
【０００４】
一対の芯材は曲げに対する弾発性を有し、一対の芯材の周方向両端部が互いに離間しており、その離間部分に、股下部の上下方向に沿って形成されるクリース線が通過する状態となっている。このズボンは、左右一対の股下部の裾部を折り返すと、芯材の弾発性により、芯部が対応する股下部の折り返されていない部分であってその芯部に重なる部分から離反しない状態となる。このとき、左右一対の股下部の折り返された裾部は、たるまず、その状態を維持することができる。
【先行技術文献】
【特許文献】
【０００５】
【特許文献１】特開２０１９−９４６００号公報
【発明の概要】
【発明が解決しようとする課題】
【０００６】
しかしながら、上記のズボンは、左右一対の股下部の折り返された裾部がたるんでいない状態に維持されていると、芯材によって芯部が外側に向かって湾曲するように膨らんだ状態となる。この膨らんだ状態では、左右一対の股下部に形成されるクリース線が目立たなくなり、または消えるという問題があった。
【０００７】
そこで、この発明の課題は、折り返した裾部に股下部のクリース線に沿って折り目を形成し、その折り目を維持することができるズボンを提供することにある。
【課題を解決するための手段】
【０００８】
上記課題を解決するために、この発明は、股上部とその股上部から下方に延びる左右一対の股下部と、前記左右一対の股下部の下端部に形成される裾部とを有し、前記左右一対の股下部は、上下方向に沿って形成される前側のクリース線および後側のクリース線を有し、前記裾部は周方向に沿って取り付けられる一対の芯材を有し、前記一対の芯材は、その端部同士の間に位置する前側の隙間と後側の隙間とを有し、前記前側の隙間に前側の前記クリース線が通り、前記後側の隙間に後側の前記クリース線が通る状態となっているズボンにおいて、前記裾部が、周方向に沿って取り付けられた塑性変形性を有する保型部材を有し、前記保型部材が前側の前記クリース線および後側の前記クリース線に交差する位置にある構成を採用することができる。
【０００９】
この構成では、裾部を折り返して裾上げを行った後に、折り返した裾部を前側のクリース線および後側のクリース線に沿って折り曲げると、保型部材が塑性変形する。塑性変形する保型部材により、折り返した裾部に前側および後側のクリース線に沿う折り目が形成され、その折り目が維持される。
【００１０】
前記保型部材が塑性変形性を有する線材と、前記線材を前記裾部の周方向に沿って保持する帯状の基材とを有し、前記基材が柔軟性を有している構成を採用することができる。この構成では、保型部材の基材の幅方向両端部を裾部に縫合することにより、保型部材を裾部に容易に取り付けることができる。
【００１１】
前記保型部材が、前記裾部の全周にわたって取り付けられた状態となっている構成を採用することができる。前記保型部材を裾部の全周にわたって取り付けることによって、保型部材を容易に前側クリース線および後側クリース線に交差する状態に配置することができる。
【発明の効果】
【００１２】
この発明では、裾上げし折り返した裾部を、前側および後側のクリース線に沿って折り曲げると、クリース線に沿って保型部材が塑性変形する。塑性変形した保型部材により、折り返した裾部にクリース線に沿う折り目を形成することができる。また、保型部材は塑性変形しているので、折り返した裾部の折り目が維持され、折り返した裾部が筒状に膨らむことを防止することができる。
【図面の簡単な説明】
【００１３】
【図１】この発明のズボンに係る実施形態を示す斜視図
【図２】一方の股下部の下端部を示す分解斜視図
【図３】（ａ）股下部の下端部に保型部材および芯材を取り付けた状態を示す斜視図、（ｂ）股下部の下端部に保型部材および芯材を取り付けた状態を示す要部拡大斜視図
【図４】保型部材を示す拡大斜視図
【図５】（ａ）図３（ａ）でのＡ−Ａ線における断面図、（ｂ）図５（ａ）での股下部の下端縁を芯材に固定した状態を示す断面図、（ｃ）股下部の裾部を示す断面図
【図６】股下部の裾部を示す斜視図
【図７】股下部の裾部を示す一部切り欠き斜視図
【図８】股下部の折り返した裾部を示す断面図
【図９】股下部の折り返した裾部を示す一部切り欠き斜視図
【図１０】（ａ）折り返した裾部がクリース線に沿って押し付けられている状態を示す概略図、（ｂ）折り返した裾部がクリース線に沿って押し付けられた後の状態を示す概略図
【発明を実施するための形態】
【００１４】
この発明の実施形態のズボンを、図面に基づいて説明する。図１、図２に示すように、この実施形態のズボンは、股上部１と左右一対の股下部２、２とそれぞれの股下部２の下端部に形成される裾部３と、裾部３の内部に周方向に沿って取り付けられている保型部材４および芯材５とを有する。なお、左右とは、ズボンを着用した着用者を基準とする左右を意味する。
【００１５】
この実施形態のズボンの股上部１および一対の股下部２は、左右の前身頃２１、２２と、左右の後身頃２３、２４と、帯状のウエストバンド２５とをそれぞれ縫合により一体に成形したものである。左右の前身頃２１、２２は、前中心において縫合され、その前中心にはフライ部２６が形成されている。フライ部２６には、そのフライ部２６を開閉するために、ボタンやファスナなどの開閉用部材（図示省略）が設けられている。左右の後身頃２３、２４は後中心で縫合されている。
【００１６】
縫合された左右の前身頃２１、２２および後身頃２３、２４は、左右の脇側でそれぞれ縫合されている。ウエストバンド２５は、左右の前身頃２１、２２および左右の後身頃２３、２４の上端部において、ウエストの周方向に沿って縫合されている。ウエストバンド２５は、周方向に間隔をおいて設けられた複数のベルトループ２７を有する。
【００１７】
それぞれのベルトループ２７の上端部がウエストバンド２５の上縁部に縫合されている。それぞれのベルトループ２７の下端部が、左右の前身頃２１、２２または後身頃２３、２４に縫合されている。左右の前身頃２１、２２および後身頃２３、２４の生地は、例えば、綿や毛等の天然繊維や、ポリエステル繊維やアクリル繊維、ポリウレタン繊維等の合成繊維、あるいは天然繊維と合成繊維とを混合させた繊維から成る織物から構成することができる。
【００１８】
図２、３に示すように、一対の股下部２は、左右方向中央部分に上下方向に沿って形成されたクリース線６を有する。クリース線６は、股下部２の前側および後側に形成された山折りの折り目線である。股下部２の下端部寄りの位置に、帯状の保型部材４および一対の芯材５が取り付けられている。
【００１９】
図４に示すように、保型部材４は、柔軟性を有する帯状の基材４ａと、基材４ａにより保持される合成樹脂製の二本の線材４ｂとからなる。基材４ａは、合成繊維を織った織物からなる帯状体である。線材４ｂは、塑性変形性を有する合成樹脂から形成されている。線材４ｂは、これを折り曲げたときに、その折り曲げた部分に折れ目が形成され、その折れ目が維持される状態となるものである。線材４ｂは、その素材としてポリエチレン、ポリプロピレンなどのポリオレフィンが挙げられ、特にポリエチレンを適当な倍率で延伸した線状体を使用することができる。
【００２０】
二本の線材４ｂは、基材４ａを構成する合成繊維に絡み合わせることで、基材４ａの長さ方向に沿って平行に保持されている。また、基材４ａを織る際に基材４ａの合成繊維により線材４ｂを織り込むことにより、基材４ａに二本の線材４ｂを保持させることができる。
【００２１】
一対の芯材５は、合成繊維の織地からなる帯状部材である。芯材５は、股上部１および股下部２となる左右の前身頃２１、２２および後身頃２３、２４の生地よりも低い可撓性を有するものである。芯材５の幅寸法Ｗ１は、保型部材４の基材４ａの幅寸法Ｗ２よりも大きい（図５（ａ）参照）。芯材５の幅寸法Ｗ１は、例えば、４〜２ｃｍの範囲とすることができる。４ｃｍを超えると、一度に折返される裾部３ａの幅寸法が大きくなり、股下部２を適切な長さとすることが難しい。一方、２ｃｍよりも小さいと、股下部２を適切な長さにする際に、裾部３ａを折り返す回数が多くなることがあり、裾部３ａが厚くなる。芯材５の長さは、一対の芯材５の上下端を持って裾部３を内向きに折り返したとき、裾部３の全周を折り返すことが可能となる長さを有する。
【００２２】
一対の股下部２の下端部に形成される裾部３は、以下のようにして製作される。
まず、股下部２の下端部寄りの内周部に、保型部材４が全周にわたって取り付けられる。図５（ａ）に示すように、保型部材４の基材４ａの幅方向両側部分が股下部２に縫合されている。一対の芯材５は、保型部材４の内側であって、股下部２の周方向に沿う状態となっている。一対の芯材５の幅方向の下縁部が、保型部材４の下方であって、股下部２の下端部寄りの部分に接着により固定されている。
【００２３】
図３（ａ）に示すように、一対の芯材５は、その端部同士の間に二つの隙間Ｓが形成されている。二つの隙間Ｓは、股下部２の前側と後側に位置している。前側の隙間Ｓに前側のクリース線６が通り、後側の隙間Ｓに後側のクリース線６が通る状態となっている（図３（ｂ）参照）。
【００２４】
前側の隙間Ｓには保型部材４が股下部２の周方向に沿って通っており、かつ保型部材４が前側のクリース線６と交差している。同様にして、後側の隙間Ｓには保型部材４が股下部２の周方向に沿って通っており、かつ、保型部材４が後側のクリース線６と交差している。
【００２５】
図５（ｂ）に示すように、一対の股下部２の下端部が折り返されて、その折り返し部分を芯材５の下部に重ね合わせた状態とする。この重ね合わせた状態で、一対の芯材５を内向きに折り返し、一対の芯材５の上縁部を股下部２に縫合する（図５（ｃ）参照）。このようにして、図６に示すように、一対の股下部２の下端部に裾部３が形成される。
【００２６】
この発明の実施形態のズボンは以上のように構成される。この実施形態のズボンは、一対の股下部２の下端部に裾部３を有し、裾部３の内部に保型部材４および一対の芯材５が周方向に沿って取り付けられている。
【００２７】
図７に示すように、一対の股下部２の裾部３は周方向に沿って一対の芯材５が取り付けられている。その一対の芯材５の端部同士の間に前側の隙間Ｓと後側の隙間Ｓとが形成されている。前側および後側の隙間Ｓに前側および後側のクリース線６が通る状態となっている。裾部３は、全周にわたって保型部材４が取り付けられている。保型部材４は前側および後側の隙間Ｓを通り、かつ、前側および後側のクリース線６が交差する位置にある。
【００２８】
この実施形態のズボンは、着用者の股下長さに応じて裾部３を内向きに折り返す裾上げをすることで、股下部２の長さを調整することができる。図８に示すように、裾部３を一度折り返し裾上げすると、芯材５の幅寸法Ｗ１よりもわずかに大きい幅寸法Ｗ３の大きさ分だけ、股下部２の長さが短くなる。さらに、必要に応じて、裾部３を二度、三度と折り返して裾上げする。
【００２９】
図９に示すように、例えば、一度折り返し裾上げした裾部３ａは、一対の芯材５の間に前側および後側の隙間Ｓが形成されている。前側および後側の隙間Ｓには、前側および後側のクリース線６が通り、かつ保型部材４が位置している。図１０（ａ）一点鎖線に示すように一度折り返し裾上げした直後の裾部３ａは、その裾口が大きく開いた状態となっている。この状態において、裾部３ａの前側のクリース線６を挟んで両側部分を、そのクリース線６に沿って互いに接近するように折り曲げる。また、裾部３ａの後側のクリース線６を挟んで両側部分を、そのクリース線６に沿って互いに接近するように折り曲げる。
【００３０】
ここで、裾部３ａは、前側および後側の隙間Ｓに保型部材４が位置し、かつ前側及び後側のクリース線６が通っているものである。このため、裾部３ａを前側および後側のクリース線６に沿って折り曲げると、その前側および後側のクリース線６に沿って保型部材４の線材４ｂが塑性変形する。塑性変形した保型部材４の線材４ｂによって、図１０（ｂ）に示すように、裾部３ａに対して前側および後側のクリース線６に沿って折り目が形成される。
【００３１】
保型部材４の線材４ｂが塑性変形することで、折り返した裾部３ａの折り目は維持される。このため、この実施形態のズボンは、裾上げ後において、裾部３ａが筒状に膨らむことがない。さらに、折り返した裾部３ａの折り目は維持されるので、この実施形態のズボンを着用した際、股下部２において立体的な形状を維持することができる。
【００３２】
また、裾上げする前の状態のズボンの裾部３も、裾上げ後の裾部３ａと同様に、前側および後側のクリース線６に沿って折り目を形成することができる。このため、裾部３が筒状に膨らむことがない。例えば、販売の際、ズボンをクリース線６が前後に位置する状態で左右方向に複数陳列した場合であっても、陳列スペースを圧迫することがない。
【００３３】
保型部材４の基材４ａは、合成繊維を織った織物からなる帯状体である。このため、保型部材４は、縫合により基材４ａの幅方向両端部を股下部２の下端部寄りの位置に容易に取り付けることができる。
【符号の説明】
【００３４】
１  股上部
２  股下部
３、３ａ  裾部
４  保型部材
４ａ  基材
４ｂ  線材
５  芯材
６  クリース線
２１、２２  前身頃
２３、２４  後身頃
２５  ウエストバンド
２６  フライ部
２７  ベルトループ
Ｓ  隙間
Ｗ１、Ｗ２、Ｗ３  幅寸法
【要約】
【課題】折り返した裾部に股下部のクリース線に沿って折り目を形成し、その折り目を維持することができるズボンを提供する。
【解決手段】股上部１から延びる左右一対の股下部２の下端部に裾部３が形成され、左右一対の股下部２が上下方向に沿って形成される前側および後側のクリース線６を有し、裾部３が周方向に沿って取り付けられる一対の芯材５を有し、一対の芯材５は、その端部同士の間に位置する前側および後側の隙間Ｓを有し、前側および後側の隙間Ｓに前側および後側のクリース線６が通る状態となっているズボンであって、裾部３が周方向に沿って取り付けられた保型部材４を有し、保型部材４が帯状の基材４ａに塑性変形性を有する二本の線材４ｂが保持されているものであり、保型部材４が前側および後側のクリース線６に交差する位置にある状態となっている。
【選択図】図７【図１】
0006881809.tif 000002
【図２】
0006881809.tif 000003
【図３】
0006881809.tif 000004
【図４】
0006881809.tif 000005
【図５】
0006881809.tif 000006
【図６】
0006881809.tif 000007
【図７】
0006881809.tif 000008
【図８】
0006881809.tif 000009
【図９】
0006881809.tif 000010
【図１０】
0006881809.tif 000011